(57)【特許請求の範囲】
【請求項１】
リール本体に設けたハンドルの回転操作で、このリール本体の前部に回転自在に支えられるロータを回転駆動し、このロータに設けた釣糸案内部を介して、リール本体の前部から前方に突出するスプール軸上のスプールに釣糸を巻回する魚釣用スピニングリールであって、
前記ロータは、リール本体の前部を受入れる凹部を後方に向けて開口させた筒部を有し、この筒部の後方開口端側で、前記凹部を外部に連通する環状空間が、筒部とリール本体の前部との間に形成され、この筒部は、リール本体の前部を囲む周壁部に、リール本体の前部を露出可能とする径方向開口部を有することを特徴とする魚釣用スピニングリール。
【発明の詳細な説明】
【技術分野】
【０００１】
本発明は、リール本体に設けたハンドルの回転操作で釣糸案内部を有するロータを回転駆動し、スプールに釣糸を巻回する魚釣用スピニングリールに関する。
【背景技術】
【０００２】
一般に、魚釣用スピニングリールは、ハンドルの回転操作に連動して前後動するスプールに、釣糸案内部を介して釣糸を巻回するロータを備えており、このロータは、筒部と、この筒部の基部の対向した部位から前方側に向けて突設された一対のアーム部とを有し、釣糸をスプール上に案内する釣糸案内部は、このアーム部の前部に装着された支持部材に設けられる（例えば特許文献１参照）。
【０００３】
この魚釣用スピニングリールでは、ロータの筒部内にリール本体の前部が嵌め入れられ、リール本体の前部から突出されてハンドルの回転操作に連動回転する駆動軸に、ロータが中心孔を介して回り止め嵌合され、ナットで締め付け固定される。
【特許文献１】特開２００１−１３６８７３
【発明の開示】
【発明が解決しようとする課題】
【０００４】
このような魚釣用スピニングリールは過酷な環境で用いられる機会が多く、特に、投げ釣りのような砂浜での使用が多いと、ロータ後部とリール本体の前部の間の隙間から侵入した微細な砂や異物がリール本体内に侵入し、内部に位置するこれらのロータの壁面やリール本体の周面に付着するのを防止することは極めて困難である。特に、リール本体の前部が、ロータの筒部で覆い隠されているため、ロータ内に侵入した砂等の異物の付着状況を確認できずに、釣行後の清掃タイミングを逃し、リール本体前部の駆動に支障を来してしまう虞がある。
【０００５】
また、ロータ内部に侵入する砂や異物等には、釣場の状況によって海水を含んでいる場合が多く、このような海水を含んだ異物をロータの筒部が覆い隠すことにより、腐食が誘発又は促進され、ロータの回転やスプール軸の前後動等の動作性能、および、耐久性を低下させることになる。
【０００６】
本発明は、このような事情に基づいてなされたもので、ロータの内部を容易に視認することができ、軽快な操作を可能とする魚釣用スピニングリールを提供することを目的とする。
【課題を解決するための手段】
【０００７】
上記目的を達成する本発明の魚釣用スピニングリールは、リール本体に設けたハンドルの回転操作で、このリール本体の前部に回転自在に支えられるロータを回転駆動し、このロータに設けた釣糸案内部を介して、リール本体の前部から前方に突出するスプール軸上のスプールに釣糸を巻回する魚釣用スピニングリールであって、前記ロータは、リール本体の前部を受入れる凹部を後方に向けて開口させた筒部を有し、この筒部の後方開口端側で、前記凹部を外部に連通する環状空間が、筒部とリール本体の前部との間に形成され、この筒部は、リール本体の前部を囲む周壁部に、リール本体の前部を露出可能とする径方向開口部を有することを特徴とする。
【発明の効果】
【００１０】
このような魚釣用スピニングリールによれば、ロータの周壁部に形成された径方向開口部を介してロータの内部およびリール本体の前部を容易に視認することができ、更に、この径方向開口部を介してロータ内部の風通し、循環性が向上することにより、清掃の必要な時期を逃すことなく、例え内部に砂や異物が侵入した場合でも、固着し難く、容易に除去でき、清浄な状態を維持することができる。更に、径方向開口部は、ロータを軽量化することに加え、その縁部を介して釣糸を係止して、スプールの後方から脱落した釣糸がスプールの内側に入り込んでロータの前部及びスプール軸に絡み付くのを抑制し、これにより、釣糸の放出及び巻取り操作を軽快に行うことができる。
【００１１】
更に、ロータの筒部の後方開口端側で、凹部を外部に連通する環状空間が、筒部とリール本体の前部との間に形成されることにより、例えばシャワー等の簡単な水洗手段でも、内部に侵入し、付着した砂、ゴミ、汚れ等を径方向開口部および後方開口端を通じて容易に洗い落とすことができ、凹部内の風通しを更に良好にして、内部滞留を抑制し、更に、従来のフランジを必要とせず、ロータの周部に形成した開口部により、軽量化され、魚釣り操作性も向上することができる。
【発明を実施するための最良の形態】
【００１３】
図１から図４は、本発明の好ましい実施形態による魚釣用スピニングリール１０を概略的に示す。
【００１４】
図１および図２に示すように、魚釣用スピニングリール１０は、例えば金属で剛性構造に形成されたリールボディ１２ａの側部開口１４ａを蓋体１２ｂで閉塞したリール本体１２を備え、この蓋体１２ｂの固定ネジ１６を取外すことで、内部空間Ｓを外部に露出させることができる。また、リールボディ１２ａの後端側には、切欠き１４ｂを形成し、この切欠き１４ｂを後部キャップ１８で閉じてあり、この後部キャップ１８の固定ネジ２０を取外すことにより、後端側でも内部空間Ｓを開閉することができる。このリール本体１２は、リールボディ１２ａから上方に延出する脚部１２ｃの端部に形成された竿取付部１２ｄを介して図示しない釣竿に取り付けられる。
【００１５】
リール本体１２内には、通常のスピニングリールと同様に、後述するロータを駆動するための中空駆動軸２２を回転駆動する駆動機構２４およびこの中空駆動軸２２内に挿通されたスプール軸２６をこの軸方向に沿って一定のストロークで前後方向に往復動する公知のオシレーティング機構２８が収容されており、このオシレーティング機構２８の摺動子２８ａが止めネジ３０でスプール軸２６の後端部に固定されている。これらの駆動機構２４およびオシレーティング機構２８は、一端にハンドル３２が連結されるハンドル軸３４により、互いに同期して作動される。
【００１６】
本実施形態のハンドル軸３４は中空構造を有し、それぞれリールボディ１２ａと蓋体１２ｂとに設けられた軸受３６ａ，３６ｂを介してリール本体１２で回転自在に支持されている。このハンドル軸３４には、後述する駆動歯車３４ａが一体に形成される。このハンドル軸３４の両端部には、雌ネジを形成してあり、一方の端部に、ハンドル３２に基端部を枢着ピン３８で枢着されたネジ部材４０の先端部が螺合することで装着される。したがって、ハンドル軸３４は軸受３６ａ，３６ｂと共にハンドル装着部を形成する。
【００１７】
このハンドル３２を装着するためのネジ部材４０は、スタンド部材４２に挿通されており、ハンドル３２を介してハンドル軸３４内に締付けられると、スタンド部材４２の内周側突条４２ａがハンドル軸３４の端面に当接し、ネジ部材４０の締付け力で、ハンドル３２およびスタンド部材４２をハンドル軸３４に強固に固定する。スタンド部材４２は、ハンドル３２をリール本体１２から離隔させ、後述するロータとの干渉を防止しつつ自由に回転可能とする。また、この内周側突条４２ａの外周側に配置した外周側突条４２ｂは、リール本体１２から突出する環状突起１３ａを僅かな間隙を介して囲み、リール本体１２の内部空間Ｓ内に異物が侵入するのを防止する。
【００１８】
このネジ部材４０を緩め、スタンド部材４２とハンドル３２との間に間隙を形成すると、枢着ピン３８を中心としてハンドル３２を回転し、持運びあるいは保管に便利な折り畳み状態とすることができる。この折り畳み状態からハンドル３２を介してネジ部材４０をハンドル軸３４内に締め込むとことで簡単に、釣糸巻取り状態に復帰させることができる。
【００１９】
また、ハンドル軸３４の反対側には、蓋体１２ｂに形成した環状突起１３ｂを囲む軸受キャップ４４を取り付けてあり、異物の侵入が防止されている。この軸受キャップ４４を取り外して、ハンドル３２およびスタンド部材４２を取付けることにより、ハンドル３２をリール本体１２の一側から他側に自由に付け換えることができる。いずれの場合も、釣糸巻回方向にネジ部材４０を締め付けることにより、ハンドル３２とハンドル軸３４とが一体化され、釣糸巻取り状態とすることができる。
【００２０】
リール本体１２の内部空間Ｓ内では、ハンドル軸３４と一体に形成された駆動歯車３４ａと共に駆動機構２４を形成するピニオン２２ａが、ハンドル軸３４と直交する方向に延設された中空駆動軸２２の外周部に形成されており、このピニオン２２ａは駆動歯車３４ａと常時噛合した状態に配置されている。このピニオン２２ａを形成した中空駆動軸２２は、ハンドル軸３４の軸受３６ａ，３６ｂを配置したハンドル装着部から前方に突出する前部Ｆ内を前方に延び、ハンドル軸３４に近接した後端側を軸受４６ａを介してリール本体１２で支えられ、前方部位を、リール本体１２の前部Ｆ内に配置した軸受４６ｂを介して支えられ、前端側がこの前部Ｆから突出し、リール本体１２に対して自由に回転することができる。この中空駆動軸２２は、軸方向に貫通する内孔内で、先端部にスプール５０を装着するスプール軸２６を前後方向に摺動自在に案内する。
【００２１】
このスプール軸２６は、中空駆動軸２２の先端側から突出する先端部に断面非円形部２６ａと、ネジ部２６ｂとを順に形成してあり、この断面非円形部２６ａにストッパ４８ａを介して装着されたスプール５０が、袋ナット状に形成した締付けネジ４８ｂにより、スプール軸２６の先端部に取外し可能に装着される。
【００２２】
本実施形態では、ストッパ４８ａは断面非円形部２６ａに対応した挿通孔を有する板状に形成してあり、この断面非円形部２６ａの後端部に回り止めされた状態で係止され、後方すなわちリール本体１２側への移動を阻止されている。そして、スプール５０は、円筒状あるいはテーパ状の周面を有する胴部５２の前後に、径方向外方に突出するフランジ部５２ａ，５２ｂを形成し、この胴部５２の前端側を閉じる前壁部５４の中央部から、後方の開口側に向けて、短軸部５６が突出する。
【００２３】
この短軸部５６には、断面非円形部２６ａに対応する断面形状を有する挿通孔が軸方向に貫通している。この短軸部５６を、断面非円形部２６ａ上で回り止めした状態でスプール軸２６に装着し、締め付けネジ４８ｂをネジ部２６ｂに締付けることにより、短軸部５６を介してスプール５０がストッパ４８ａに締付けられ、固定される。
【００２４】
また、短軸部５６が配置される前壁部５４には、短軸部５６を囲んで、多数の軸方向貫通孔５５を等間隔に形成してある。これらの貫通孔５５は、スプール５０を軽量化すると共に、魚釣り操作時の空気抵抗を小さくする構造に形成してあり、外方に開口する後端側には、釣糸が内部に入り込むのを防止するスカートあるいは内側フランジ部５８が形成される。なお、胴部５２に、周方向に沿って多数の凹溝を形成してもよく、この場合には、スプール５０に巻き取った釣糸が移動して緩むのを防止することができる。
【００２５】
このスプール５０をスプール軸２６に取付ける締付けネジ４８ｂは、釣糸が引っ掛かるのを防止するために、前壁部５４からの突出量をできる限り小さくし、また、その周部は可能な限り滑らかな外面で形成することが好ましい。
【００２６】
スプール５０に釣糸を巻回するロータ６０は、後方に向けて凹部６２を開口させた筒部６０Ａを有し、この筒部６０Ａは、周壁部６４と前壁部６６とで形成され、前壁部６６から凹部６２内に突出する厚肉スリーブ状形状の駆動部６８を介して中空駆動軸２２の先端部に一体的に連結される。この駆動部６８を囲む周壁部６４には、後方開口端すなわちハンドル軸３４側の径方向に対向した部位で、筒部６０Ａと共にロータ６０を形成する一対の腕部７０，７０が径方向外方に突設されている。これらの腕部７０，７０は、筒部６０Ａの後方開口端から前方に向けてスプール軸２６の軸方向に沿って先細状に延び、周壁部６４との間に、スプール５０の胴部５２を受け入れる間隙を形成する。
【００２７】
これらの腕部７０，７０の先端部に取付けられたベール７２は、図１に示す釣糸巻取位置と図示しない釣糸放出位置との間を自在に反転することができる。このベール７２の一方の端部は、釣糸案内部７２ａを装着した支持脚７３を介して腕部７０に取り付けられ、図２に一部を概略的に示す振り分けバネ機構７４により、釣糸巻取位置と釣糸放出位置との一方に保持され、ハンドル３２を釣糸巻回方向に反転後、ベール７２を手動操作で釣糸巻取位置へ復帰させたり、図示しない反転復帰機構により、図１に示す釣糸巻取位置へ自動復帰される。
【００２８】
このロータ６０の前壁部６６には、駆動部６８の周部に沿って軸方向貫通孔６５が等間隔に形成してあり、この前壁部６６の外周部には、例えば、スプール５０の後方から内側に落込んだ釣糸のスプール軸への巻き込みを防止する薄肉構造の筒状のガード部材７６が前方に突出する状態で螺合、接着等の手段で取り付け固定され、このガード部材７６の先端側の外周部には、釣糸がスプール軸２６側に脱落するのを防止する係止片７６ａが設けられている。また、前端側の前壁部６６と共に筒部６６Ａを形成する周壁部６４は、軸方向の中間部位の屈曲部６４ａを挟んで、前方よりも後方側でより大きな角度で径方向外方に向けて拡径する。この周壁部６４の後方開口端に隣接する部位には、この周壁部６４を径方向に貫通する開口部６３が形成されており、この開口部６３は、周壁部６４の後方開口端から屈曲部６４ａを超えて前壁部６６側の位置まで、開口幅を狭めつつ軸方向に沿って延びる。
【００２９】
なお、ガード部材７６は、ロータ６０およびスプール５０のそれぞれの前壁部６６，５４に形成した貫通孔６５，５５を介する空気流れを阻害しあるいは閉塞しないものであれば、適宜の形状に形成することが可能であり、図３に示すように、その周部に、例えば多数の羽根部材７７を放射状に配置させ、これらの隣接する羽根部材間に開口７５を設けても良い。これらの羽根部材７７の先端部に釣糸を係止する係止片７６ａを設けることができる。また、このガード部材７６をロータ６０に一体化することも可能である。
【００３０】
図３に最も良く示すように、本実施形態のロータ６０は、４つの径方向開口部６３が、周壁部６４の後方開口端に隣接した部位で径方向に対向させて形成してあり、各腕部７０にも周壁部６４の径方向開口部６３に対応した径方向開口部７１が形成してある。この腕部７０の径方向開口部７１は、周壁部６４の径方向開口部６３と径方向に整合した位置に配置されており、後方に向けて開口する。したがって、腕部７０に形成した径方向開口部７１は、周壁部６４の対応する径方向開口部６３と連続した開口部を形成する。これにより、いずれの径方向開口部６３，７１も、内部に配置したリール本体１２の前部８０を外部に大きく露出し、この径方向開口部６３，７１を介して、外部から例えば蓋体１２ｂの固定ネジ１６を締付けあるは取外すことができる。
【００３１】
一方、周壁部６４の腕部７０，７０間に形成された２つの径方向開口部６３は、弧状の連結片６７をその後端部に設けてある。これらの連結片６７が一対の腕部７０間で周方向に延びる筒部６０Ａの後方開口端では、凹部６２を外部に連通する環状空間Ａが、この周壁部６４と凹部６２内に収容されるリール本体１２の前部Ｆとの間に形成される。これにより、例えばシャワー等の簡単な水洗手段でも、このシャワーをリール本体１２の前部Ｆの外面に付着した異物に直接当てることが可能であり、凹部６２の内部に侵入し、付着した砂、ゴミ、汚れ等を開口部６３，７１および後方開口端の環状空間Ａを通じて容易に洗い落とすことができる。更に、凹部６２内の風通しも良好で、内部滞留による不都合も解消することもできる。更に、従来のフランジを必要とせず、ロータ６０の周部すなわち周壁部６４および腕部７０に形成した開口部６３，７１により、軽量化され、魚釣り操作性も向上することができる。
【００３２】
このように形成されるロータ６０の凹部６２内に挿入されるリール本体１２の前部Ｆは、脚部１２ｃから前方に向けて、上下方向の寸法が次第に減少する。なお、本明細書中で、リール本体１２の前部Ｆは、特に限定した場合を除き、ハンドル装着部すなわちハンドル軸３４を支える軸受３６ａ，３６ｂを配した部位よりもロータ６０側の前部に配置されるリールボディ１２ａおよび蓋体１２ｂの部分を指す。したがって、これらの軸受３６ａ，３６ｂと上下方向にほぼ整合した位置に配置される脚部１２ｃ、ハンドル軸３４、スタンド部材４２および軸受キャップ４４は、この前部Ｆに含まれない。
【００３３】
図２に示すように、このリール本体１２の前部Ｆ内では、中空駆動軸２２のピニオン２２ａよりも前方部位が、断面非円形の外面形状を有してロータ６０の駆動部６８を回り止め嵌合する作動部２２ｂとして形成してあり、この作動部２２ｂの後端部に、前側軸受４６ｂであるボール軸受が装着される。この軸受４６ｂの内輪が作動部２２ｂの後端で支えられ、外輪はリール本体１２のリールボディ１２ａに形成した環状段部７８ａ内に収容され、後方への移動を阻止される。符号６９は、駆動部６８を作動部２２ｂに締め付け固定するナット部材を示し、このナット部材６９を作動部２２ｂの外周上に締め込むことにより、後述する内輪部材８６および軸受４６ｂを介して中空駆動軸２２の外周部に形成された段部に締め付けられ、固定される。
【００３４】
図４は、この筒状の前部Ｆに形成されて、中空駆動軸２２を支える支持部８０を示す。
【００３５】
本実施形態の支持部８０は、前部軸受４６ｂを収容する環状段部７８ａの前方に位置する前端部に、環状段部７８ａよりも大きな内径に形成された前部段部７８ｂを有し、この前部段部７８ｂ内に転がり式一方向クラッチ８２を収容し、支持している。この一方向クラッチ８２は、中空駆動軸２２の作動部２２ｂに回り止め嵌合された内輪部材８４と、保護キャップを９２介して前部段部７８ｂ内に嵌合された外輪部材８６との間に保持器８８ａで保持されたローラ状の複数の転がり部材８８を配置し、この保持器８８ａにより転がり部材８８を自由回転領域と回転規制領域との間で移動することができる。外輪部材８６は回り止め部材９０により、支持部８０内で回り止めされる。
【００３６】
この保持器８８ａからは、図示しない作動アームが径方向外方に突出しており、この作動アームに、リール本体１２内を前後に延びる図示しない作動機構を介して、リール本体１２の後端部に配置した操作レバーＬ（図１参照）が連結される。この操作レバーＬを切換操作することにより、保持器８８ａを自由回転領域と回転規制領域との間で移動し、釣糸繰り出し方向への中空駆動軸２２、つまりロータ６０の逆回転を阻止する逆転防止状態と、正回転および逆回転を許容する規制解除状態とに自由に切換えることができる。
【００３７】
この転がり式一方向クラッチ８２と前部段部７８ｂの内周面との間に配置する保護キャップ９２は、例えばステンレス鋼製の外輪部材８２が、例えばマグネシウム合金あるいはアルミニウム合金で形成されるリールボディ１２ａに直接接触し、電気化学作用で腐食するのを防止する。この保護キャップ９２は、特に、リールボディ１２ａがマグネシウム合金で形成される場合、マグネシウム合金との電位差の少ない材質、例えばアルミニウム材で形成することで電食の発生を防止できるが、樹脂製の絶縁材で形成することにより、電食の発生を確実に防止することが可能となる。いずれの場合も、径方向外方に耳部９２ａを折り曲げ形成し、後述する突部９４を介して支持部８０に固定することにより、容易に位置決めし、所要位置に保持することができる。
【００３８】
このように転がり式一方向クラッチ８２を配置する支持部８０は、一方向クラッチ８２を囲むリール本体１２の先端部を凹設して軸方向外方に開口させた開口周縁部９６を先端に形成してある。この開口周縁部９６は、中空駆動軸２２に対して垂直な平面内に配置されており、外周側は周壁部９８で取り巻かれ、内周側は一方向クラッチ８２を収容する前部段部７８ｂに連続し、この前部段部７８ｂの開口端との間に段部を形成する。
【００３９】
この周壁部９８で囲まれた開口周縁部９６内で、保持器８８の作動アームが操作レバーＬで作動される作動機構に連結され、外輪部材８６の回転を阻止する回り止め部材９０が収容される。そして、径方向に対向する耳部８０ａ内では、突部９４が軸方向に突出する。この突部９４は、軸方向に沿ってネジ孔９４ａを形成した円筒状形状を有し、周壁部９８を超えてリール本体１２の前方に突出する。
【００４０】
回り止め部材９０は、これらの突部９４に嵌合する一対の装着孔９０ａを有し、突部９４に装着孔９０ａを嵌合させることにより、回り止め部材９０がリール本体１２で直接回り止めされ、回り止め部材９０の位置決めを高精度で安定して行うことができ、転がり式一方向クラッチ８２の性能低下を長期にわたって防止できると共に、組付け作業が安定し、作業性を良好にすることができる。また、支持部８０の耳部８０ａ内で軸方向に開口する開口周縁部９６に、回り止め部材９０が収容されることにより、特に軸方向におけるコンパクト化を図り、安定した強度を維持することができる。
【００４１】
この回り止め部材９０で外輪部材８６を高精度で回り止めされる一方向クラッチ８２は、突部９４のネジ孔９４ａに螺合する固定ネジ１００で固定される固定部材１０２により、回り止め部材９０と共に軸方向移動を阻止され、支持部８０から抜け止めすることができる。
【００４２】
本実施形態の固定部材１０２は、支持部８０の外形に対応した外形形状を有する、例えば金属や硬質樹脂製の板状構造に形成してあり、耳部８０ａを含む支持部８０の前端部の周縁部が周壁部９８に重なる状態に配置される。この支持部８０の耳部８０ａに重なる部位には、突部９４の外周面に嵌合される装着孔１０２ａを形成してあり、固定ネジ１００を突部９４のネジ孔９４ａに螺合することにより、この固定ネジ１００の頭部で突部９４から抜け出るのを防止することができる。
【００４３】
更に、この固定部材１０２には、前部段部７８ｂの内径よりも僅かに小径に形成した中央開口の内周側から、前方かつ半径方向内方に向けて傾斜した状態にシール縁部１０４ａを突出させたシール部材１０４が開口周縁部９６側に装着されている。このシール縁部１０４ａは、先端すなわち内周側に向けて肉厚が次第に減少し、内周縁部は丸められて駆動部６８に対するシールリップ部を形成する。これにより、シール縁部１０４ａがどの位置にあっても、相手方のロータ６０の駆動部６８の外周面に損傷を与えることなくわずかに内周が拡開変形して弾力的にシール係合する。これにより、前部Ｆの内部が密封される。
【００４４】
このシール部材１０４は、外形形状が固定部材１０２の外形と重なるフランジ部１０４ｂの内周側に厚肉部１０４ｃを形成し、この厚肉部１０４ｃの外面側すなわち開口周縁部９６から離隔した側からシール縁部１０４ａが延び、内面側からは固定部材１０２に重なるフランジ部１０４ｂが延びる。また、厚肉部１０４ｃの外周部には、固定部材１０２の内周縁部が嵌合する溝１０４ｄを形成してある。
【００４５】
このシール部材１０４のフランジ部１０４ｂには、固定部材１０２の装着孔１０２ａと対応する装着孔を形成してあり、固定部材１０２にシール部材１０４を装着し、双方の外形を整合させたときに、それぞれの装着孔が同軸上に整合し、突部９４に嵌合することができる。このシール部材１０４は、溝１０４ｄを弾性変形させて、固定部材１０２の中央開口の周部を取外すことができ、固定部材１０２にシール部材１０４は着脱可能となっている。
【００４６】
このようにシール部材１０４を装着した固定部材１０２を開口周縁部９６に載置し、固定ネジ１００を突部９４のネジ孔９４ａに螺合し、締付けると、この固定ネジ１００の頭部が固定部材１０２を介してシール部材１０４のフランジ部１０４ｂ、回り止め部材９０、および保護キャップ９２の耳部９２ａを開口周縁部９６に押圧する。シール部材１０４のフランジ部１０４ｂは、開口周縁部９６に接触してリール本体１２側をシールするシール部材１０４の基部として作用し、その弾力により、回り止め部材９０および固定部材１０２が金属等の硬質材料で形成されている場合でも、確実に締め付けることができる。
【００４７】
このように、一方向クラッチ８２の軸方向移動を阻止する固定部材１０２を、回り止め部材９０の外側から突部９４に装着し、突部９４に形成したネジ孔９４ａに螺合したネジ部材である固定ネジ１００により、これらの固定部材１０２および回り止め部材９０を支持部８０から抜け止めすることにより、リール本体１２の支持部８０に、転がり式一方向クラッチ８２を確実かつ安定した状態で抜け止めし、保持することができる。
【００４８】
また、固定部材１０２の中央開口の周縁部がシール部材１０４の厚肉部１０４ｃと共に転がり式一方向クラッチ８２の外輪部材８６を介して軸方向移動を阻止する。
【００４９】
この固定部材１０２を支持部８０の開口周縁部９６に装着することにより、シール部材１０４による支持部８０の前部開口の閉塞、および、中空駆動軸２２の外周側に対するシール縁部１０４ａによるシールが可能となり、このシール縁部１０４ａによる弾性接触で、中空駆動軸２２の回転性能を低下させることなく、リール本体１２の支持部８０内の防水を確実かつ簡単に行うことができる。
【００５０】
また、シール部材１０４が固定部材１０２に一体的に設けられる場合には、シール部材１０４と固定部材１０２とを一体部材して取り扱うことができ、組み込み作業の効率を極めて高めることができる
この支持部８０にロータ６０を組立てる場合は、支持部８０から突出する中空駆動軸２２の作動部２２ｂの先端部に、ロータ６０の凹部６２内に突出する駆動部６８を装着し、この駆動部６８の外周にシール部材１０４のシール縁部１０４ａをシール係合させ、締付けナット６９（図２参照）を作動部２２ｂの先端に形成したネジ部（図示せず）に螺合する。この締付けナット６９を締め込むことにより、駆動部６８の後端面でスペーサとして機能する一方向クラッチ８２の内輪部材８４の先端面を押圧させ、ロータ６０と中空駆動軸２２とを一体的に結合する。ガード部材７６がロータ６０と別体に形成されている場合には、ガード部材７６を前壁部６６の外周部に螺合等により装着する。
【００５１】
この後、ストッパ４８ａをスプール軸２６の断面非円形部に装着し、スプール５０を、後端側開口部から、ロータ６０のガード部材７６および筒部６０Ａを受入れつつ、周壁部６４と腕部７０との間の間隙内に胴部５２を挿入し、短軸部５６をストッパ４８ａに当接させ、ネジ部２６ｂに締付けネジ４８ｂを締付け、このスプールをスプール軸２６に固定することで、魚釣用スピニングリール１０の組立てが完了する。
【００５２】
これにより、ロータ６０の後方に開口する凹部６２内に配置された駆動部６８が、リール本体１２内の駆動機構２４で駆動される中空駆動軸２２に一体的に連結され、この駆動部６８の周囲と、中空駆動軸２２を回転自在に支える支持部を収容した前部Ｆの支持部８０との間に配置されたシール部材１０４が、リール本体１２の前部８０内を密封することにより、異物の侵入する隙間がなくなり、リール本体１２の前部Ｆの防水および防塵が確実に図られる。また、このシール部材１０４は、周壁部６４で囲まれていることにより、スプール５０が最も前方に移動した場合であっても、確実に保護される。
【００５３】
したがって、本実施形態の魚釣用スピニングリール１０によると、ロータ６０の周壁部６４に形成された径方向開口部６３を介してロータ６０の内部およびリール本体１２の前部Ｆの状態を容易に視認することができ、更に、この径方向開口部６３を介してロータ６０内部の風通し、循環性が向上することにより、清掃の必要な時期を逃すことなく、例え内部に砂や異物が侵入した場合でも、固着し難く、容易に除去でき、清浄な状態を維持することができる。更に、径方向開口部６３は、ロータ６０を軽量化することに加え、その縁部を介して釣糸を係止して、スプール５０の後方から脱落した釣糸がスプール５０の内側に入り込んでロータ６０の前部及びスプール軸２６に絡み付くのを抑制し、これにより、釣糸の放出及び巻取り操作を軽快に行うことができる。
【００５４】
ロータ６０の凹部６２の後方開口端に環状空間Ａを形成し、この環状空間Ａを閉塞するための従来のフランジ部をリール本体１２に設ける必要がなく、しかも、ロータ６０およびスプール５０のそれぞれの前壁部６６，５４に貫通孔６５，５５が形成されていることにより、ロータ６０の筒部６０Ａ内の凹部６２内に侵入した空気がこれらの貫通孔６５，５５を介して外部に流出することができ、空気抵抗が小さくかつ軽量・小型化が可能な魚釣用リール１０とすることができる。更に、リール本体１２のフランジレス構造により、リール本体１２から突出する軸受キャップ４４及びハンドル軸３４に連結するスタンド部材４２を、従来のような形状的な制約を受けることなく配置することができる。これにより、例えばロータ６０の後端部の極近接する位置まで、ロータ６０の凹部６２内にリール本体１２の前部Ｆを挿入することが可能となり、魚釣用スピニングリール１０の軸方向寸法を可級的に短くすることができる。
【００５５】
特に、釣竿と共に勢いよく振り下ろしながら釣糸放出操作を行う飛距離を競う投げ専用リールにおいては、リール本体１２の後部側から前方側に向く空気抵抗を受け易く、特にこの釣糸放出操作時の風の抵抗が微妙に釣糸放出操作性を低下させる要因となっていたものであるが、上述のようなリール本体１２の前部Ｆのフランジレス構造に加え、ロータ６０およびスプールの貫通孔６５，５５による空気抵抗の減少および小型化は、釣糸放出操作性を向上させることを可能とし、投げ専用リールに極めて好適に用いることができる。
【００５６】
リール本体１２の前部Ｆのフランジレス構造に加えて、更に、ロータ６０の周壁部６４が後方開口端側で拡径していることにより、リール本体１２の前部Ｆをハンドル軸３４に近接する位置まで凹部６２内に配置した場合であっても、リール本体１２の側部に突設する、例えば蓋体１２ｂに取付けられる軸受キャップ４４の外周部がロータ６０と干渉することがなく、したがって、軸方向寸法を短く形成することができる。また、ロータ６０の周壁部６４および腕部７０に径方向開口部６３，７１が形成され、更に、前壁部６６には貫通孔６５が形成されていることにより、ロータ６０が軽量化され、小さな力でも効率よく回転することができる。また、スプール５０の前壁部５４に形成した貫通孔５５も軽量化を促進する。
【００５７】
更に、ロータ６０の凹部６２内に浸入した海水、砂、塵埃等の異物は、外部から例えばシャワー等で洗浄し、環状空間Ａ、径方向開口部６３，７１および貫通孔５５，６５を介して容易に洗い流すことができると共に、通気性も良くなり、内部に水分、異物等の滞留もなくなり、腐食の誘発や機能部材の作動不良を防止できる。
【００５８】
また、ロータ６０の筒部６０Ａがリール本体１２の前部Ｆを受入れることにより、ロータ６０を回転するだけで、周壁部６４および腕部７０の径方向開口部６３，７１の配置位置まで自由に移動することができるため、内部に流入した水等を外部に容易に排出でき、凹部６２の内部に滞留した砂、塵埃等の異物も、この径方向開口部６３，７１を介して直接水を当てて洗い流すことができる。
【００５９】
また、ロータ６０の凹部６２が開口する周壁部６４すなわち円筒状部の後方開口端で、凹部６２を外部に連通する環状空間Ａが、この周壁部６４とリール本体１２の前部８０との間に形成されることにより、例えばシャワー等の簡単な水洗手段でも、このシャワーをリール本体１２の前部８０の外面に付着した異物に直接当てることが可能であり、凹部６２の内部に侵入し、付着した砂、ゴミ、汚れ等を開口部６３，７１および後方開口端を通じて容易に洗い落とすことができる。更に、凹部６２内の風通しも良好で、内部滞留による不都合も解消することもできる。更に、従来のフランジを必要とせず、ロータ６０の周部すなわち周壁部６４および腕部７０に形成した開口部６３，７１により、軽量化され、魚釣り操作性も向上することができる。
【００６０】
図５および図６は、変形例による魚釣用スピニングリール１００を示す。なお、以下に示す変形例あるいは実施形態は、基本的には上述の実施形態と同様であり、したがって、同様な部位には同様な符号を付し、その詳細な説明を省略する。
【００６１】
この魚釣用スピニングリール１００は、一対の腕部７０，７０間に形成される２つの径方向開口部６３のうち、一方の径方向開口部６３の後端部にのみ弧状の連結片６７を設けてある。この連結片６７によって、ベール７２および釣糸案内部７２ａ等のアンバランス部材に対するバランス化を図り、ロータ６０を滑らかに回転させることができる。
【００６２】
この実施形態では、上述の実施形態における作用効果に加え、ロータ６０を更に軽量化し、空気抵抗を低減することが可能となる。
【００６３】
図７は、従来と同様なフランジ部１１０ａ，１１０ｂを有する魚釣用スピニングリール２００の実施形態を示す。この魚釣用スピニングリール２００は、フランジ部１１０ａ，１１０ｂを有する点でのみ上述の実施形態と相違している。
【００６４】
本実施形態では、リール本体の蓋体１２ｂに形成されたフランジ部１１０ａと、リールボディ１２ａに形成されたフランジ部１１０ｂとが円板状にリール本体１２の周部に突出し、組立てたときに、ロータ６０の後方開口端を軸方向に塞ぐ位置に配置される。このようなフランジ部１１０ａ，１１０ｂを設ける場合には、ロータ６０の凹部６２内に後方から異物が入り込むのを防止する。
【００６５】
この実施形態においても、ロータ６０の駆動部６８の周囲と、リール本体１２の前部８０に形成した支持部８０ａとの間に配置されたシール部材１０４（図４参照）が、リール本体１２の前部Ｆ内を密封することにより、異物の侵入する隙間がなくなり、リール本体１２の前部Ｆの防水および防塵が確実に図られる。また、ロータ６０の筒部６０Ａは周壁部６４に径方向開口部６３を形成してある。これにより、径方向開口部６３を介してロータ６０の凹部６２内に侵入した異物を水洗い等で簡単に排出することができ、リール本体１２の前部Ｆに異物が滞留して腐食誘発や機能部材の作動不良の発生を防止することができる。
【００６６】
更に、フランジ部１１０ａ，１１０ｂが設けられた場合であっても、周壁部６４に形成した径方向開口部６３によりロータ６０を軽量化し、凹部６２内の風通しを良好に維持することができる。
【００６７】
なお、図７に示す実施形態では、腕部７０に径方向開口部を形成してないが、上述の実施形態と同様な径方向開口部７１を形成してもよく、この場合には、ロータ６０を更に軽量化することができる。
【図面の簡単な説明】
【００６８】
【図１】本発明の好ましい実施形態による魚釣用スピニングリールの側面図。
【図２】図１のＩＩ−ＩＩ線に沿う断面図。
【図３】図１の魚釣用スピニングリールのロータの斜視図。
【図４】図１のロータ内に配置されるリール本体の前部の概略的な拡大断面図。
【図５】変形例による魚釣用スピニングリールのそうめん図。
【図６】図５の魚釣用スピニングリールのロータの斜視図。
【図７】他の変形例による魚釣用スピニングリールの図２と同様な図。
【符号の説明】
【００６９】
１０…魚釣用スピニングリール、１２…リール本体、２６…スプール軸、３２…ハンドル、５０…スプール、６０…ロータ、６０Ａ…筒部、６２…凹部、６３…径方向開口部、６４…径方向開口部、７２ａ…釣糸案内部、Ｆ…前部。
【図１】
0004975596.tif 000002
【図２】
0004975596.tif 000003
【図３】
0004975596.tif 000004
【図４】
0004975596.tif 000005
【図５】
0004975596.tif 000006
【図６】
0004975596.tif 000007
【図７】
0004975596.tif 000008